(57)【要約】【課題】レンズ保持体との接着状態を良好に保持するソリッドイマージョンレンズとこれを用いた集光レンズ、光学ピックアップ装置、光記録再生装置及びソリッドイマージョンレンズの形成方法を提供する。【解決手段】ソリッドイマージョンレンズ１１の対物側に、対物面３に向かって突出する凸状部２を設け、この凸状部２の少なくとも一部に、段差もしくは凹部７を設ける構成とする。【選択図】図１１
2006114196.tif 000002
【特許請求の範囲】
【請求項１】
ソリッドイマージョンレンズの対物側に、対物面に向かって突出する凸状部が設けられ、
上記凸状部の少なくとも一部に、段差もしくは凹部が設けられて成る
ことを特徴とするソリッドイマージョンレンズ。
【請求項２】
上記凹部は、上記ソリッドイマージョンレンズを保持する保持体との接着領域の少なくとも一部に設けられて成る
ことを特徴とする請求項１記載のソリッドイマージョンレンズ。
【請求項３】
上記段差は、上記ソリッドイマージョンレンズの光軸に沿う断面において、上記光軸に対し異なる角度をもって傾斜する２以上の傾斜面より構成される
ことを特徴とする請求項１記載のソリッドイマージョンレンズ。
【請求項４】
上記凸状部が、円錐形状、角錐形状又は曲面形状のうちいずれかの形状とされた
ことを特徴とする請求項１記載のソリッドイマージョンレンズ。
【請求項５】
上記凸状部が、円錐形状、角錐形状又は曲面形状のうちいずれかの形状とされた
ことを特徴とする請求項２記載のソリッドイマージョンレンズ。
【請求項６】
上記凸状部が、円錐形状、角錐形状又は曲面形状のうちいずれかの形状とされた
ことを特徴とする請求項３記載のソリッドイマージョンレンズ。
【請求項７】
ソリッドイマージョンレンズと、該ソリッドイマージョンレンズと光軸を合致させ、対物側とは反対側に配置された光学レンズとより構成された集光レンズにおいて、
上記ソリッドイマージョンレンズの対物側に、集光部に向かって突出する凸状部が設けられ、
上記凸状部の少なくとも一部に段差もしくは凹部が設けられて成る
ことを特徴とする集光レンズ。
【請求項８】
少なくとも、光源と、光軸を合致させて対物側から順に配置されたソリッドイマージョンレンズと光学レンズとで構成され、上記光源からの出射光を収束させて光スポットを形成する集光レンズとを有する光学ピックアップ装置において、
上記ソリッドイマージョンレンズの対物側に、集光部に向かって突出する凸状部が設けられ、
上記凸状部の少なくとも一部に段差もしくは凹部が設けられて成る
ことを特徴とする光学ピックアップ装置。
【請求項９】
集光レンズにより光記録媒体の記録位置に光を集光して記録及び／又は再生を行う光学ピックアップ装置を有し、上記集光レンズ及び上記光学ピックアップ装置を上記光記録媒体のフォーカシング方向及び／又はトラッキング方向に制御駆動する制御駆動手段が少なくとも設けられて成る光記録再生装置において、
上記集光レンズは、少なくともその対物側にソリッドイマージョンレンズが配置され、
上記ソリッドイマージョンレンズの対物側に、集光部に向かって突出する凸状部が設けられ、
上記凸状部の少なくとも一部に段差もしくは凹部が設けられて成る
ことを特徴とする光記録再生装置。
【請求項１０】
ソリッドイマージョンレンズの形成方法において、
上記ソリッドイマージョンレンズの対物側に、集光部に向かって突出する凸状部を形成し、
上記凸状部の少なくとも一部に段差もしくは凹部をフォーカスイオンビーム加工方法により形成する
ことを特徴とするソリッドイマージョンレンズの形成方法。
【発明の詳細な説明】
【技術分野】
【０００１】
本発明は、ソリッドイマージョンレンズ（Solid Immersion Lens：固浸レンズ）と、これを用いた集光レンズ、光学ピックアップ装置及び光（もしくは光磁気）記録再生装置、またソリッドイマージョンレンズの形成方法に関し、さらに詳しくは、光学レンズの屈折率が大なる材料を用いて集光レンズの開口数を大にして光（もしくは光磁気）記録媒体に記録再生を行ういわゆるニアフィールド光記録再生方式に好適なソリッドイマージョンレンズとこれを用いた集光レンズ、光学ピックアップ装置、光記録再生装置及びソリッドイマージョンレンズの形成方法に関するものである。
【背景技術】
【０００２】
コンパクトディスク（ＣＤ）、ミニディスク（ＭＤ）、デジタルヴァーサタイルディスク（ＤＶＤ）に代表される光記録媒体（光磁気記録媒体を含む）は、音楽情報、映像情報、データ、プログラム等の格納媒体として広く利用されている。しかしながら、更なる音楽情報、映像情報、データ、プログラム等の高音質化、高画質化、長時間化、大容量化のために、さらに大容量の光記録媒体及びこれを記録再生する光記録再生装置（光磁気記録再生装置を含む）が望まれている。
そこで、これらに対応するため、光記録再生装置では、その光源の例えば半導体レーザの短波長化や、集光レンズの開口数の増大化が図られ、集光レンズを介して収束する光スポットの小径化が図られている。
【０００３】
例えば、半導体レーザに関しては、発振波長が従来の赤色レーザの６３５ｎｍから４００ｎｍ帯に短波長化されたＧａＮ半導体レーザが実用化され、これにより光スポットの小径化が図られつつある。また、例えばそれ以上の短波長化については、２６６ｎｍの単一波長の光を連続発振するソニー（株）製の遠紫外固体レーザＵＷ−１０２０Ａ（商品名）などが発売されており、更なる光スポットの小径化も図られつつある。また、これ以外にもＮｄ：ＹＡＧレーザの２倍波レーザ（２６６ｎｍ帯）、ダイヤモンドレーザ（２３５ｎｍ帯）、ＧａＮレーザの２倍波レーザ（２０２ｎｍ帯）などの研究、開発が進められている。
【０００４】
また、ソリッドイマ―ジョンレンズ（ＳＩＬ）に代表される開口数の大なる光学レンズを使って、例えば開口数１以上の集光レンズを実現するとともに、この集光レンズの対物面を光記録媒体と、その光源波長の１０分の１程度まで近接させることにより記録再生を行ういわゆるニアフィールド光記録再生方式が検討されている（例えば特許文献１参照。）。
【０００５】
このニアフィールド光記録再生方式では、光記録媒体と集光レンズとの距離を精度良く光学的なコンタクト状態に維持することが重要である。また、光源から出射されて集光レンズに入射する光束径が小になるとともに、光記録媒体と集光レンズとの距離も数十ｎｍ以下程度と非常に小さくなるため、光記録媒体と集光レンズとの傾きマージン、いわゆるチルトマージンが非常に小さくなり、集光レンズは形状的に大きく制約されることになる。
【０００６】
図１８に、ソリッドイマージョンレンズの一例の概略構成図を示す。ソリッドイマージョンレンズ１１と光学レンズ１２とを、光記録媒体１０（光磁気記録媒体を含む）と対向する対物側から順に配置して、ニアフィールド集光レンズを構成することができる。図１８に示すように、ソリッドイマージョンレンズ１１は、曲率半径ｒの半球状又は超半球状（図示の例においては超半球状）に形成され、光軸に沿う厚さが半球状の場合はｒとされ、図示の例のように超半球状とする場合は、屈折率をｎとすると光軸に沿う厚さがｒ（１＋１／ｎ）として構成される。
【０００７】
このような構成の集光レンズを例えば光記録再生装置に適用する場合は、２軸アクチュエータを有する光学ピックアップ装置に装着され、光記録媒体と集光レンズとの距離を光学的なコンタクト状態に維持する。光磁気記録に用いられる場合は、光学ピックアップ装置に、磁気記録再生に使用される磁気ヘッド装置が組み込まれ、同様に光記録媒体と集光レンズとの距離を光学的なコンタクト状態に維持する構成とされる。
【特許文献１】特開平５−１８９７９６号公開公報
【発明の開示】
【発明が解決しようとする課題】
【０００８】
ところで、上述のニアフィールド光記録再生方式では、光記録媒体に対するフォーカシング方向及び／又はトラッキング方向に制御駆動される集光レンズの安定制御を図るとともに、光記録媒体の安定した記録再生が行えるように、光記録媒体とその集光レンズの対物面の傾きマージンをある程度保持する必要がある。
【０００９】
そこで、本出願人は、先の出願（特願２００４−７３１６１号出願に基づいて優先権主張した特願２００５−３４８８４号出願、特願２００４−７３１６２号出願に基づいて優先権主張した特願２００５−１８６６２号出願）において、ソリッドイマージョンレンズの対物側に凸状部、例えば、円錐形状、角錐形状等の凸状部を設け、かつその先端部分を平面状に加工して対物面とすることにより、対物面と光記録媒体との距離を数十ｎｍにした場合でも、傾きマージンが、±０．１度程度確保できるよう加工されたソリッドイマージョンレンズを提案した。これにより、記録再生特性の安定化を図ることが可能な光学ピックアップ装置、光記録再生装置を提供することができる。
【００１０】
ところで、このように凸状部を対物側に設けるソリッドイマージョンレンズでは、ソリッドイマージョンレンズの開口数ＮＡが大きくなるほど、すなわち、レーザの入射角度が大きくなるほど、レーザの入射光路を遮らないように凸状部の加工角度を小さく、例えば円錐形状の場合、その円錐の頂角の角度を大きくする必要がある。
その結果、開口数ＮＡの大きなソリッドイマージョンレンズを保持するレンズ保持体との接着面積が小さくなってしまい、僅かな衝撃で保持体がはずれてしまう恐れがある。
【００１１】
同様に、このソリッドイマージョンレンズを保持するレンズ保持体との接着面積は、ソリッドイマージョンレンズの球状部の半径が小さくなるほど、またソリッドイマージョンレンズの屈折率が大きくなるほど小さくなる。更に、レーザの入射角度が大きくなるほど、凸状部の先端の集光平面部（すなわち対物面）の半径が大きくなるほど、同様に小さくなってしまう。
【００１２】
特に、今後の光記録媒体の高密度化、光ピックアップ装置の小型・軽量化に対する要求を満たすためには、ソリッドイマージョンレンズの高開口数化と、ソリッドイマージョンレンズの微小化を実現しなければならないため、ソリッドイマージョンレンズを保持するレンズ保持体との接着面積が微小化されても、安定にソリッドイマージョンレンズを固着し、保持する必要がある。
【００１３】
以上の課題に鑑みて、本発明は、ソリッドイマージョンレンズとレンズ保持体との接着状態を良好に保持するソリッドイマージョンレンズとこれを用いた集光レンズ、光学ピックアップ装置、光記録再生装置及びソリッドイマージョンレンズの形成方法を提供することを目的とする。
【課題を解決するための手段】
【００１４】
上記課題を解決するため、本発明は、ソリッドイマージョンレンズの対物側に、対物面に向かって突出する凸状部を設け、この凸状部の少なくとも一部に、段差もしくは凹部を設ける構成とする。
また、本発明は、上述のソリッドイマージョンレンズにおいて、上記凹部が、上記ソリッドイマージョンレンズを保持する保持体との接着領域の少なくとも一部に設けられて成ることを特徴とする。
更に、本発明は、上述のソリッドイマージョンレンズにおいて、上記段差が、上記ソリッドイマージョンレンズの光軸に沿う断面において、上記光軸に対し異なる角度をもって傾斜する２以上の傾斜面より構成されることを特徴とする。
【００１５】
また、本発明は、上述の本発明によるソリッドイマージョンレンズを用いて集光レンズ、光学ピックアップ装置及び光記録再生装置を構成するものである。
すなわち、本発明による集光レンズは、ソリッドイマージョンレンズと、該ソリッドイマージョンレンズと光軸を合致させ、対物側とは反対側に配置された光学レンズとより構成された集光レンズにおいて、上記ソリッドイマージョンレンズの対物側に、集光部に向かって突出する凸状部が設けられ、上記凸状部の少なくとも一部に段差もしくは凹部が設けられて成ることを特徴とする。
また、本発明による光学ピックアップ装置は、少なくとも、光源と、光軸を合致させて対物側から順に配置されたソリッドイマージョンレンズと光学レンズとで構成され、上記光源からの出射光を収束させて光スポットを形成する集光レンズとを有する光学ピックアップ装置において、上記ソリッドイマージョンレンズの対物側に、集光部に向かって突出する凸状部が設けられ、上記凸状部の少なくとも一部に段差もしくは凹部が設けられて成ることを特徴とする。
【００１６】
更に、本発明による光記録再生装置は、集光レンズにより光記録媒体の記録位置に光を集光して記録及び／又は再生を行う光学ピックアップ装置を有し、上記集光レンズ及び上記光学ピックアップ装置を上記光記録媒体のフォーカシング方向及び／又はトラッキング方向に制御駆動する制御駆動手段が少なくとも設けられて成る光記録再生装置において、上記集光レンズは、少なくともその対物側にソリッドイマージョンレンズが配置され、上記ソリッドイマージョンレンズの対物側に、集光部に向かって突出する凸状部が設けられ、上記凸状部の少なくとも一部に段差もしくは凹部が設けられて成ることを特徴とする。
また、本発明によるソリッドイマージョンレンズの形成方法は、ソリッドイマージョンレンズの対物側に、集光部に向かって突出する凸状部を形成し、上記凸状部の少なくとも一部に段差もしくは凹部をフォーカスイオンビーム加工方法により形成することを特徴とする。
【００１７】
上述したように、本発明によるソリッドイマージョンレンズは、その対物側に、対物面に向かって突出する凸状部を設け、この凸状部の少なくとも一部に、段差もしくは凹部を設けることから、このソリッドイマージョンレンズを保持する保持体と対向する面積を大とすることができる。
特に、このソリッドイマージョンレンズにおいて、ソリッドイマージョンレンズを保持する保持体との接着領域の少なくとも一部に凹部を設けることによって、接着剤がソリッドイマージョンレンズと接触する面積が確実に大となる。したがって、ソリッドイマージョンレンズを微小化し、また開口数を大とするために入射角度を大とする場合においても、安定な固着に十分な接着面積を確保することが可能となる。
また、凸状部に段差を設ける場合、この段差を、ソリッドイマージョンレンズの光軸に沿う断面において、光軸に対し異なる角度をもって傾斜する２以上の傾斜面より構成する場合は、保持体と接着する外周側部分において、光軸側部分よりも光軸に対し鋭角となる（すなわち対物面とはより大なる角度をもって）傾斜面を構成すれば、開口数を大とするために入射光角度を大とし、これに合わせて凸状部の対物側を光軸から大なる角度で構成する場合においても、開口数の比較的低い場合と同程度以上に保持体との接着面積を確保することができる。
【００１８】
したがって、このような本発明によるソリッドイマージョンレンズを用いて集光レンズ、光学ピックアップ装置及び光記録再生装置を構成することにより、レンズ保持体とソリッドイマージョンレンズとの接着面積をより確保できて、安定にレンズを保持することができる。
そして、本発明によるソリッドイマージョンレンズの形成方法では、上述したソリッドイマージョンレンズの段差や凹部をフォーカスイオンビーム加工方法により形成するため、段差や凹部の形状を精度良く形成することができる。
【発明の効果】
【００１９】
以上説明したように、本発明のソリッドイマージョンレンズによれば、ソリッドイマージョンレンズの対物側に、対物面に向かって突出する凸状部を設け、この凸状部の少なくとも一部に、段差もしくは凹部を設けることにより、レンズ保持体との接着面積を大として、従来と比較してより安定な保持が可能となる。
【００２０】
更に、本発明による集光レンズ、光学ピックアップ装置及び光記録再生装置によれば、集光レンズに用いるソリッドイマージョンレンズを安定に保持することができ、開口数を大としたソリッドイマージョンレンズを用いて光記録媒体に対する安定走行の可能な光学ピックアップ装置及び光記録再生装置を提供することができる。
また、本発明によるソリッドイマージョンレンズの形成方法によれば、比較的安定した保持の可能なソリッドイマージョンレンズを、入射光への影響を及ぼすことなく精度良く形成することができる。
【発明を実施するための最良の形態】
【００２１】
以下本発明を実施するための最良の形態の例を説明するが、本発明は以下の例に限定されるものではない。
本発明は、ソリッドイマージョンレンズと、このソリッドイマージョンレンズと光軸を合致させ、対物側とは反対側に配置された光学レンズとで構成された集光レンズ、更にこの集光レンズを有し、いわゆるニアフィールド光記録再生方式を採用する光学ピックアップ装置と、この光学ピックアップ装置を有する光記録再生装置に適用することができる。
【００２２】
まず、本発明によるソリッドイマージョンレンズの説明に先立って、これら集光レンズ、光学ピックアップ装置、光記録再生装置に適用した実施の形態の例について図１〜図３を参照して説明する。なお、図１〜図３において、ソリッドイマージョンレンズの形状は、その配置構成を容易に説明するために、本発明構成による一例を簡略化して示すもので
あるが、後述する図４以後の例を含む本発明構成の形状を採り得るものである。
【００２３】
図１は、本発明によるソリッドイマージョンレンズを用いた集光レンズの一例を示す概略構成図である。レンズの対象物の例えば光記録媒体１０に対向して、本発明構成によるソリッドイマージョンレンズ１１、光学レンズ１２をこの順に光軸を合致させて配置して構成する。ソリッドイマージョンレンズ１１は、半径ｒの半球状又は超半球状とされ、その光軸に沿う厚さは、半球状とする場合はｒ、超半球状とする場合は屈折率をｎとするとｒ（１＋１／ｎ）とされる。このような構成とすることによって、光学レンズ１２の開口数ＮＡを超える高開口数の集光レンズ１３を提供することができる。
なお、実際にはソリッドイマージョンレンズ１１と光記録媒体１０とは互いに接触してはいないが、これらソリッドイマージョンレンズ１１及び光記録媒体１０の間隔はソリッドイマージョンレンズ１１の厚さと比較して十分に小さいため図１〜図３においてはその間隔を省略して示す。
【００２４】
図２は、図１に示すソリッドイマージョンレンズ及び集光レンズを用いた光学ピックアップ装置の光学系の構成の一形態を示す概略構成図である。図示しない光源及びフォトディテクタと、ソリッドイマージョンレンズ１１及び光学レンズ１２より成る集光レンズ１３との間に、例えば第１及び第２のビームスプリッタ１４及び１５が配置される。光記録媒体１０は、例えばディスク状であれば、図示を省略するスピンドルモータに装着され、所定の回転数で回転される。
【００２５】
また、図１及び図２に示す光学ピックアップ装置には、集光レンズ１３をトラッキング方向及びフォーカシング方向に制御駆動する手段が設けられる。
この手段としては、例えば一般的な光学ピックアップに用いられる２軸アクチュエータや、磁気ヘッド装置等に用いられるスライダ等が挙げられる。
これら集光レンズ１３の制御駆動手段の形態を次に示す。
【００２６】
図３は、本発明の光記録再生装置の一部を構成する光学ピックアップ装置の一例であって、制御駆動手段として２軸アクチュエータを用いた光学ピックアップ装置の一例の概略構成図を示す。図３に示すように、集光レンズ１３は、そのソリッドイマージョンレンズ１１及び光学レンズ１２の光軸を合致させて保持体２０により固定され、この保持体２０がフォーカシング方向及び／又はトラッキング方向に制御駆動される２軸アクチュエータ１６に固着されている。
図３に示すように、２軸アクチュエータ１６は、集光レンズ１３をトラッキング方向に制御駆動させるトラッキング用コイル１７と、フォーカシング方向に制御駆動させるフォーカシング用コイル１８とより構成される。
【００２７】
そしてこの２軸アクチュエータ１６により、光記録媒体１０とソリッドイマージョンレンズ１１との距離を、例えば戻り光量をモニタし、その距離情報をフィードバックすることにより制御可能とし、ソリッドイマージョンレンズ１１と光記録媒体１０との距離をほぼ一定に保つようになされ、かつこのソリッドイマージョンレンズ１１と光記録媒体１０との衝突を避けるように制御される。
また、この２軸アクチュエータ１６において、トラッキング方向に戻り光量をモニタし、その位置情報をフィードバックすることにより、集光スポットを所望の記録トラックに移動させることが可能である。
【００２８】
以下、光学ピックアップ装置の概略構成について、再び図２を参照して説明する。光源、例えば半導体レーザから出射された往路光はコリメータレンズ（図示せず）により平行光に変換され（Ｌ１）、第１のビームスプリッタ１４を透過し（Ｌ）、集光レンズ１３を介して光記録媒体１０の情報記録面に集光される。情報記録面で反射された復路光は集光
レンズ１３を透過し、第１のビームスプリッタ１４で反射され（Ｌ２）、第２のビームスプリッタ１５に入射する。そしてこの第２のビームスプリッタ１５により分離された復路光(Ｌ３及びＬ４)は、フォーカシング用光検出器及び信号用光検出器（図示せず）に集光され、フォーカスシングエラー信号および再生ピット信号等が検出される。
【００２９】
また、第２のビームスプリッタで反射された復路光は、例えばトラッキング用光検出器に集光され、トラッキングエラー信号が検出される。なお、必要に応じてこの光学ピックアップ装置には、光記録媒体３０の面振れに対して、集光レンズ１３を固着する２軸アクチュエータが追従し残したフォーカスエラー成分及び集光レンズの組み立て工程時に発生した誤差成分を、２枚のレンズの間隔を変えることで補正することができるリレーレンズを、第１のビームスプリッタ１４と光学レンズ１２との間に挿入し構成してもよい。
【００３０】
また、図示しないが集光レンズをスライダに搭載する場合は、スライダが追従した残りのフォーカスエラー成分および集光レンズの組み立て工程時に発生した誤差成分を補正する手段として、集光レンズをスライダに固定し、光学レンズを例えば圧電素子等により光軸方向に可動するように構成してもよい。
また、スピンドルモータが複数の光記録媒体を装着する手段を有する光記録再生装置の場合は、光軸をほぼ９０度曲げるミラーをスライダに設ける構成が好適である。このような構成の光記録再生装置は、光記録媒体間の間隔を小とすることができるので、結果的に装置の小型化、薄型化を図ることができる。
【００３１】
なお、上記した光学ピックアップ装置は、再生のみを行う再生専用、記録のみを行う記録専用、記録と再生の両方を行うことができる記録再生用を含むものである。また、上述した各光学ピックアップ装置は、光磁気記録方式と、ニアフィールド光再生方式を組み合わせることにより、その光ピックアップ装置の一部に磁気コイル等を組み込んだものを含む構成とすることもできる。熱磁気記録再生方式を採用する場合おいても同様である。また、光記録再生装置は、再生のみを行う再生専用装置、記録のみを行う記録専用装置、記録と再生の両方を行うことができる記録再生用装置を含むものである。
【００３２】
次に、本発明のソリッドイマージョンレンズに適用して好適なレンズ形状の例について説明する。
図４Ａ及びＢは、本発明によるソリッドイマージョンレンズの一例の概略側面図及び概略平面図を示す。この例においては、球状部１を曲率半径ｒの超半球状とした場合を示し、屈折率をｎとすると、光軸ｃに沿う方向の厚さをｒ（１＋１／ｎ）として、対物側に、対物面３に向かって突出する凸状部２を設けるものである。
図４において、破線Ｒは、ソリッドイマージョンレンズ１１の光軸と直交する断面において、半径がｒとなる断面を示す。
そして本発明のソリッドイマージョンレンズ１１において、凸状部２の形状としては、円錐形状や角錐形状としてもよい。
【００３３】
また、図５Ａ及びＢに示すように、球状部１を半球状として、その厚さをｒとし、凸状部２が略円錐形状、又は角錐形状とする例において、先端部の対物面３を、例えば半径が略ｒ／２の破線ｆで示す球に略外接する形状としてもよい。この場合は、レーザ等の入射光の光軸が、レンズ１１の光軸から僅かに傾いた場合においても、入射光がソリッドイマージョンレンズ１１内を通過する距離が変化することがなく、良好に対物面に集光させることができるという利点を有する。
また、図６Ａ及びＢに示すように、球状部１を超半球状として、その厚さをｒ／ｎとし、凸状部２を略円錐形状、又は角錐形状とする例において、先端部の対物面３を、例えば半径が略ｒ／ｎの一点鎖線ｇで示す球に略外接する形状としてもよい。この場合も、レーザ等の入射光の光軸が、レンズ１１の光軸から僅かに傾いた場合においても、入射光がソリッドイマージョンレンズ１１内を通過する距離が変化することがなく、良好に対物面に集光させることができるという利点を有する。
更に、図７Ａ及びＢに示すように、凸状部２を、例えば球面を含む各種の曲面状とすることもできる。
図５Ａ及びＢ、図６Ａ及びＢ、図７Ａ及びＢにおいて、図４Ａ及びＢと対応する部分には同一符号を付して重複説明を省略する。
【００３４】
なお、凸状部２の傾斜角度は、レーザの入射光を妨げないように入射角度より大に設定されており、例えば、屈折率が２から３程度のレンズ材料を用いた場合、その角度は対物面３から略１０〜３０度程度である。
また、光磁気記録媒体に対するニアフィールド光記録再生方式においては、記録時もしくは／且つ再生時に磁界が必要になることから、ソリッドイマージョンレンズの対物面３の一部又はその周囲に磁気コイル等を取り付けて構成してもよい。
【００３５】
このようなソリッドイマージョンレンズの材料としては、上述したように、使用する光記録再生装置、光学ピックアップ装置の装備するレーザ光源の波長に対して、屈折率が大きく、透過率が大きく、光吸収が小さいものが材料として好適である。たとえば、高屈折率ガラスである（株）オハラ製のＳ−ＬＡＨ７９（商品名）や、高屈折率セラミックス、高屈折率単結晶材料であるＢｉ４Ｇｅ３Ｏ１２、ＳｒＴｉＯ３、ＺｒＯ２、ＨｆＯ２、ＳｉＣ、ＫＴａＯ３、ダイヤモンドなどが好適である。
【００３６】
また、これらレンズ材料は、アモルファス構造、もしくは単結晶の場合には立方晶構造であることが、望ましい。レンズ材料がアモルファス構造、もしくは立方晶構造である場合、結晶方位によりエッチング速度やエッチング特性が変化しないため、公知である半導体などの加工に使用されるエッチング方法や装置が利用可能である。
【００３７】
そして、本発明によるソリッドイマージョンレンズは、その凸状部の少なくとも一部に、段差もしくは凹部を設ける構成とするものである。
このような段差や凹部の加工において、例えば凹部の深さや、または、ソリッドイマージョンレンズの光軸に沿う断面において光軸に対し異なる角度をもって傾斜する２以上の傾斜面より段差を構成する場合に、その傾斜面の傾斜角度の精密な加工については、半導体加工に利用されているエッチング方法や装置が利用可能であり、特に、微細な傾斜部の傾斜角度や凹凸形状の加工については、例えば（株）日立製作所製の集束イオンビーム加工観察装置ＦＢ−２１００（商品名）などのフォーカスイオンビーム加工装置によるフォーカスイオンビーム加工方法により形成することが好ましい。このように、フォーカスイオンビーム加工方法により斜面、曲面等を形成することによって、精度良くその傾斜角度等を調整することができ、確実に入射光への影響を及ぼすことなく加工することができるという利点を有する。
【００３８】
次に、本発明によるソリッドイマージョンレンズの段差及び凹部による効果について説明する前に、ソリッドイマージョンレンズと保持体との接着態様について図面を参照して説明する。
図８においては、球状部１と、円錐形状や角錐形状なる凸状部２を有するソリッドイマージョンレンズ１１の一例の要部の拡大断面構成図を示す。図８に示すように、この例は球状部１を超半球状とする例で、その曲率半径をｒとし、凸状部２の光軸ｃに沿う断面における傾斜部の対物面３に沿う面(破線ｂで示す)となす角度をθ、対物面３の半径をｄ、ソリッドイマージョンレンズの厚さをｒ（１＋１／ｎ）、凸状部２の対物面３から球状部１の縁部４までの高さをｘ、光軸から縁部４までの距離をｙとし、ソリッドイマージョンレンズ１の使用波長での屈折率をｎとする。図８において、破線ａは球状部１の縁部４を横切る断面、破線Ｒは光軸ｃと直交する断面において半径がｒとなる断面を示す。
【００３９】
このとき、傾斜角度θと、対物面３から球状部３までの高さｘの関係は、下記の式（１）及び式（２）から求められる。
ｔａｎθ＝ｘ／（ｙ−ｄ）            ・・・・（１）
ｒ２＝ｙ２＋（（ｒ／ｎ）−ｘ）２        ・・・（２）
【００４０】
例えば、半径ｒを０．４５ｍｍ、対物面３の半径ｄを２０μｍ、レンズの屈折率ｎを２．０７５とした場合において、傾斜角度θを１０度から３０度まで変化させた場合の対物面３から球状部３の縁部４までの高さ、すなわち高低差ｘを求めた。
レンズの保持体は、その表面（光記録媒体と対向する面）が、レンズの対物面３からある程度のマージンをもって離間して接着される。このマージンとして、レンズ保持体表面と、レンズの対物面との高低差を５０μｍとすると、保持体とレンズとの接着領域の高さ（高低差）ｘ´は、上記高低差ｘから５０μｍ差し引いた値となり、接着領域の図８に示す断面における長さｙ´は、ｙ´＝ｘ´／（ｓｉｎθ）より求められる。この結果を以下の表１に示す。
【００４１】
【表１】
2006114196.tif 000003
【００４２】
この表１の結果から明らかなように、凸状部２の傾斜角度θが３０度の場合は、対物面から球状部までの高低差を約２５０μｍ確保することができるが、傾斜角度が１０度の場合は、対物面３から球状部１の縁部４までの高低差は約７０μｍしか確保することができなくなる。このことから明らかなように、傾斜角度が小さいほど、対物面３から球状部１の縁部４までの高低差ｘが小さくなり、また接着領域の高低差ｘ´及び長さｙ´も小さくなってしまうことがわかる。
【００４３】
ソリッドイマージョンレンズは、その開口数ＮＡが高いほど、すなわち、レーザの入射角度が大きいほど、また、ソリッドイマージョンレンズの半径ｒが小さいほど、屈折率ｎが大きいほど、凸状部２の傾斜角度θは小さくなるので、ソリッドイマージョンレンズの高ＮＡ化、小型軽量化によって、この対物面３から球状部１の縁部４までの高さが小さくなってしまうのは明らかである。
【００４４】
図９及び図１０にソリッドイマージョンレンズの各例の概略構成を示すように、このような凸状部２を有するソリッドイマージョンレンズでは、凸状部２の傾斜面の一部を利用して保持体２０との接着領域５とし、光硬化性樹脂、熱硬化性樹脂等より成る接着剤６により保持体２０と固着して保持している。保持体２０の形状としては、例えばその平面形状は、対物面３を取り囲む円孔を有するドーナツ状等として、光軸に沿う断面形状は、対物面３に向かって鋭角が構成される三角形状とし得る。
ソリッドイマージョンレンズの凸状部の先端の対物面３の半径は、例えば数μｍから数十μｍ程度であり、凸状部２の傾斜角度、すなわち対物面３との成す角度θは、１０〜３０度程度であるので、レンズの対物面３と保持体２０の光記録媒体（図示せず）と対向する面との高低差ｘは、数十μｍから数百μｍ程度である。
【００４５】
図９においては、角度θが２０度程度の例、図１０においては、角度θが１０度程度の例を示す。図９及び図１０において、図８と対応する部分には同一符号を付して重複説明を省略する。
上記表１の結果と、これら図９及び図１０から明らかなように、凸状部２の傾斜角度θが小さくなると、接着面積が小さくなることがわかる。
すなわち、傾斜角度θが比較的大きい場合には、図９に示すように、対物面３から球状部１の縁部４までの高低差ｘが比較的大きく、接着領域５を確保することができる。一方、図１０に示すように、円錐角度θが比較的小さい場合には、対物面３から球状部１の縁部４までの高低差ｘは比較的小さくなって、結果的に接着領域５の面積は、図９の例と比較して、明らかに小さくなってしまうことがわかる。
【００４６】
更に、図１０の例のように、凸状部２の傾斜角度θが小さく、対物面３と保持体２０の光記録媒体との対向面との高低差が小さい場合、保持体２０と光記録媒体との間隔も小さくなるが、光記録媒体と保持体２０との傾きマージンをある程度以上に確保しようとすると、保持体２０の大きさを抑える必要があり、接着面積が更に小となってしまう。
例えば、ソリッドイマージョンレンズの対物面３から保持体２０の光記録媒体との対向面までの高低差を上述したように５０μｍとすると、上記表１に示すように、傾斜角度θが３０度の場合は、接着領域の長さｙ´を約４００μｍ確保することができるが、傾斜角度が１０度の場合は、高低差ｘ´が僅か２０μｍ、長さｙ´を１２０μｍ程度しか確保することができなくなることがわかる。
このように、微小な領域に接着しようとすると、接着面積が小さいために、実用上非常に不安定な接着となってしまう。
【００４７】
このため、本発明においては、凸状部の少なくとも一部に、段差もしくは凹部を設ける構成とするものである。
先ず、凸状部の保持体との接着領域に凹部を設ける例について、図１１〜図１４を参照して説明する。
【００４８】
図１１においては、凸状部２を例えば円錐形状として、その円錐傾斜面の保持体２０との接着領域５に、断面三角形状の凹部７を形成した例を示す。このように凹部７を設けることにより、接着領域５に微細な凹凸面を設けて、接着剤６との接着面積を大とすることができて、従来に比して十分強固な保持が可能となる。
凹部７の加工方法としては、上述したように、（株）日立製作所製の集束イオンビーム加工観察装置ＦＢ−２１００（商品名）などのフォーカスイオンビーム加工装置によるフォーカスイオンビーム加工方法により形成することが好ましい。このように、フォーカスイオンビーム加工方法により形成することによって、凹部７の深さ等の形状を精度良く形成でき、破線矢印Ｌｉで示すソリッドイマージョンレンズ１１への入射光への影響を回避することができる。図１１において、図８と対応する部分には同一符号を付して重複説明を省略する。
【００４９】
図１２においては、凹部７を断面四角形状とした例を示す。この場合おいても同様に、凹部７を設けることによって、この接着領域５における接着面積を大とすることができ、ソリッドイマージョンレンズ１１を保持体２０に十分な強度をもって固着することが可能となる。
図１１において、図１０と対応する部分には同一符号を付して重複説明を省略する。
このように、凸状部２を、円錐形状、角錐形状又は曲面形状のうちいずれかの形状とすることによって、比較的簡易な形状で接着面積を確保し、安定な保持が可能なソリッドイマージョンレンズを提供することができる。
【００５０】
なお、ソリッドイマージョンレンズ１１の形状としては、図１１及び図１２に示す例の他、球状部を半球状としてもよく、また例えば図１３に示すように、対物面３が、半径ｒ／ｎの一点鎖線ｇで示す球に略外接する形状となるような、前述の図６において説明した例と同様の形状であってもよい。更に、図１４に示すように、凸状部２を曲面形状として、すなわち前述の図７において説明した例と同様の形状としてもよい。このように、図１３及び１４に示すように、接着領域５に凹部７を設けることによって、同様に十分な強度をもってソリッドイマージョンレンズ１１を保持体２０に固着することが可能となる。図１３及び図１４において、図１１と対応する部分には同一符号を付して重複説明を省略する。
【００５１】
上述したように、接着領域５の少なくとも一部に凹部７を設ける場合は、前述の図１０において説明した例と比べて明らかに、凸状部２の凹部７による凹凸面積の加工分だけ、接着面積を大きくすることが可能となる。したがって、ソリッドイマージョンレンズを安定に保持することができるので、ソリッドイマージョンレンズを小型化しても、安定な保持が可能となり、光記録媒体等との相対的な走行の安定化を図ることができる。
特に、凸状部２の傾斜角度θを比較的小さくする場合、すなわち、ソリッドイマージョンレンズ１１へのレーザ入射角θｉを大として、開口数ＮＡを大とする場合、または、ソリッドイマージョンレンズの屈折率ｎが大きい場合、更に、ソリッドイマージョンレンズの半径ｒが小さい場合においても、上述したように凹部を設けることによって、安定した保持が可能な接着面積を確保することができる。
【００５２】
次に、凸状部の一部に段差を設ける例について説明する。図１５に示す例においては、凸状部２に設ける段差８として、ソリッドイマージョンレンズ１１の光軸ｃに沿う断面において、光軸ｃに対し異なる角度をもって傾斜する２以上の傾斜面、すなわち図示の例では対物面３から順に第１の面９Ａ、第２の面９Ｂより構成した例を示す。
このように、凸状部２の傾斜部分を、光軸に対し異なる角度をもって傾斜するいわば複数の傾斜角度に加工することにより、ソリッドイマージョンレンズ１１の開口数を大とするために凸状部２の傾斜角度を光軸から大とする場合においても、レンズ保持体２０との接着領域５における光軸からの傾斜角度を小とする傾斜面、この場合第２の面９Ｂを設けることによって、この傾斜面において、レンズ保持体２０との接着面積を比較的大とすることができ、安定な保持が可能となる。
ただし、この場合第２の面９Ｂの傾斜角度を、ソリッドイマージョンレンズ１１の入射光Ｌｉを遮ることがないように、入射角度θｉを考慮して選定することが望ましい。
すなわち、対物面３の半径ｄにより、ソリッドイマージョンレンズ１１の凸状部２の傾斜角度を、ソリッドイマージョンレンズ１１の入射角度θｉに対するマージンをもって形成することができる。つまり、このマージンを利用することにより、第１の面９Ａより対物面３からの傾斜角度が大きい第２の面９Ｂを設けることができて、これにより傾斜部分の長さをより長くして、結果的に保持体２０との接着面積を確保することができることとなる。
【００５３】
そして、この場合においても、凸状部の傾斜角度が比較的小さく、ソリッドイマージョンレンズへの入射光の入射角度が大きく、開口数ＮＡを大とする場合、またソリッドイマージョンレンズの屈折率が大きい場合、ソリッドイマージョンレンズの半径が小さい場合においても、安定した接着面積を確保することが可能となる。
図１５において、図１１と対応する部分には同一符号を付して重複説明を省略する。
【００５４】
次に、実施例１及び２として、入射光への影響を及ぼすことなく凹部又は段差を形成する例について説明する。
〔１〕実施例１
ソリッドイマージョンレンズとして、（株）オハラ製Ｓ−ＬＡＨ７９（商品名）の高屈折率ガラス材料を利用し、図１６に概略構成を示すように、ソリッドイマージョンレンズ１１の半径ｒを０．４５ｍｍ、その厚さｒ（１＋１／ｎ）を０．６６７ｍｍとし、その対物側の凸状部２を対物面３に対し傾斜角度２０度の円錐形状として、実施例１のソリッドイマージョンレンズとして作製した。このとき、対物面３の半径ｄは２０μｍとした。
【００５５】
この例においては、対物面３から球状部１の縁部４までの高さｘは、１５５．０μｍであり、一方、対物面３から入射光Ｌｉの入射位置までの高さｘｉは、２１６．６μｍであった。従って、このｘとｘｉの差による６１．６μｍの部分について、フォーカスイオンビーム装置などの機械加工による切削によって、図１１に示すような微細な凹部を形成し、ソリッドイマージョンレンズのレンズ保持体２０と接着した。その結果、前述の図９に示すように、機械加工による切削により凹部を形成しない場合に比べて、接着強度が増加していることを確認した。
【００５６】
〔２〕実施例２
次に、実施例２について説明する。ソリッドイマージョンレンズとして、（株）オハラ製Ｓ−ＬＡＨ７９（商品名）の高屈折率ガラス材料を利用し、図１７に示すように、ソリッドイマージョンレンズ１１の半径ｒを０．４５ｍｍ、その厚さｒ（１＋１／ｎ）を０．６６７ｍｍとし、対物側の凸状部２の形状を対物面３に対し傾斜角度１０度の円錐形状としたものを実施例２のソリッドイマージョンレンズとして作製した。このとき、対物面３の半径ｄは２０μｍで作製した。
【００５７】
このとき、対物面３から球状部１の縁部４までの高さｘは、７１．６μｍであり、一方、対物面３から入射光Ｌｉの入射位置までの高さｘｉは、１３０．０μｍであった。従って、このｘとｘｉの差による５８．４μｍの部分について、フォーカスイオンビーム装置による加工により図１５に示す段差形状を形成し、ソリッドイマージョンレンズのレンズ保持体と接着した。その結果、このような段差を形成しない場合に比べて、接着強度が増加していることを確認した。
これらの実施例１及び２における入射角度θｉ、傾斜角度θ、縁部の高さｘ及びこの高さｘと入射位置の高さｘｉとの差（ｘｉ−ｘ）を下記の表２に示す。
【００５８】
【表２】
2006114196.tif 000004
【００５９】
このように、入射位置の高さｘｉと、対物面からレンズの縁部までの高低差ｘとを考慮して、接着領域に設ける凹部の深さを適切に選定することによって、入射光を遮ることなく接着領域を確保することができ、保持体への強固な接着が可能となる。
【００６０】
以上説明したように、本発明のソリッドイマージョンレンズによれば、凸状部を設けることにより光記録媒体との傾きマージンを大とし、かつこの凸状部の一部に凹部もしくは段差部を設けることによって、ソリッドイマージョンレンズとレンズ保持体との接着面積を十分に確保することが可能となる。
そして本発明によれば、開口数の大なる集光レンズを実現する小型のソリッドイマージョンレンズを安定に保持することができ、したがって、光記録媒体に対する安定走行を図り、記録再生の安定性を高めることが可能となって、ニアフィールド記録再生方式を採用する光記録媒体との安定した記録再生システムを構築することができる。
また、本発明によるソリッドイマージョンレンズを用いることにより、集光レンズの小型軽量化を実現できることから、フォーカスサーボやトラッキングサーボやシーク時間等のサーボ特性の向上を図ることができ、光学ピックアップ装置および光記録再生装置の小型化、薄型化、高性能化を図ることが可能となる。
これらの結果、本発明によれば、ニアフィールド記録再生方式を採用してより光記録媒体の高記録密度化、大容量化を実現できることとなる。
【００６１】
なお、本発明は、上述の各例に限定されるものではなく、例えば凸状部に設ける凹部の断面形状を波型、不規則形状とするとか、或いは段差として、曲率の異なる曲面を隣接させる構成とするなど、本発明構成を逸脱しない範囲において、種々の変形、変更が可能であり、またその他ソリッドイマージョンレンズの材料構成、保持体の形状等においても、種々の変形、変更が可能であることはいうまでもない。
【図面の簡単な説明】
【００６２】
【図１】本発明による集光レンズの一例の概略構成図である。
【図２】本発明による光学ピックアップ装置の一例の要部の概略構成図である。
【図３】本発明による光記録再生装置の一例の要部の概略構成図である。
【図４】Ａは本発明に適用可能なソリッドイマージョンレンズの一例の概略側面図である。Ｂは本発明に適用可能なソリッドイマージョンレンズの一例の概略平面図である。
【図５】Ａは本発明に適用可能なソリッドイマージョンレンズの一例の概略側面図である。Ｂは本発明に適用可能なソリッドイマージョンレンズの一例の概略平面図である。
【図６】Ａは本発明に適用可能なソリッドイマージョンレンズの一例の概略側面図である。Ｂは本発明に適用可能なソリッドイマージョンレンズの一例の概略平面図である。
【図７】Ａは本発明に適用可能なソリッドイマージョンレンズの一例の概略側面図である。Ｂは本発明に適用可能なソリッドイマージョンレンズの一例の概略平面図である。
【図８】ソリッドイマージョンレンズの一例の概略側面図である。
【図９】ソリッドイマージョンレンズの一例の保持態様を示す概略構成図である。
【図１０】ソリッドイマージョンレンズの一例の保持態様を示す概略構成図である。
【図１１】本発明によるソリッドイマージョンレンズの一例の概略断面構成図である。
【図１２】本発明によるソリッドイマージョンレンズの一例の概略断面構成図である。
【図１３】本発明によるソリッドイマージョンレンズの一例の概略断面構成図である。
【図１４】本発明によるソリッドイマージョンレンズの一例の概略断面構成図である。
【図１５】本発明によるソリッドイマージョンレンズの一例の概略断面構成図である。
【図１６】ソリッドイマージョンレンズの一例の形状の説明図である。
【図１７】ソリッドイマージョンレンズの一例の形状の説明図である。
【図１８】従来のソリッドイマージョンレンズを用いた集光レンズの一例の概略構成図である。
【符号の説明】
【００６３】
１．球状部、２．凸状部、３．対物面、４．縁部、５．接着領域、６．接着剤、７．凹部、８．段差、９Ａ．第１の面、９Ｂ．第２の面、１０．光記録媒体、１１．ソリッドイマージョンレンズ、１２．光学レンズ、１３．集光レンズ、１４．第１のビームスプリッタ、１５．第２のビームスプリッタ、１６．２軸アクチュエータ、１７．トラッキング用コイル、１８．フォーカシング用コイル、２０．保持体
【図１】
2006114196.tif 000005
【図２】
2006114196.tif 000006
【図３】
2006114196.tif 000007
【図４】
2006114196.tif 000008
【図５】
2006114196.tif 000009
【図６】
2006114196.tif 000010
【図７】
2006114196.tif 000011
【図８】
2006114196.tif 000012
【図９】
2006114196.tif 000013
【図１０】
2006114196.tif 000014
【図１１】
2006114196.tif 000015
【図１２】
2006114196.tif 000016
【図１３】
2006114196.tif 000017
【図１４】
2006114196.tif 000018
【図１５】
2006114196.tif 000019
【図１６】
2006114196.tif 000020
【図１７】
2006114196.tif 000021
【図１８】
2006114196.tif 000022